(57)【要約】      （修正有）【課題】従来に比べて更にヒップ部をすっきりと細く見えるスラックスを提供する。【解決手段】前身頃１２と、前身頃１２とウエストからヒップにかけて縫合された脇線１８を介して連結された後身頃１４とを備えた、スラックス１０において、ウエストラインに略平行な線を第一辺、前身頃１２の後身頃側端縁２０を第二辺、後身頃１４の傾斜端縁３０を第三辺、とする略三角形状の錯視部４０を設け、各頂点の角度を所定の範囲に規定する。【選択図】図２
0003225436.tif 000002
【実用新案登録請求の範囲】
【請求項１】
前身頃と、前記前身頃とウエストからヒップにかけて縫合された脇線を介して連結された後身頃とを備えた、スラックスであって、
前記後身頃は、ウエスト部からヒップ部にかけてウエスト部からヒップ部に向かうに従って切り欠かれた傾斜端縁を有し、前記傾斜端縁は、斜線を形成し、
ウエストラインに略平行な線を第一辺、前記前身頃の後身頃側端縁を第二辺、前記後身頃の傾斜端縁を第三辺、とする略三角形状の錯視部を有し、
前記錯視部が、前記スラックスの下方に向かって徐々にその間隔が狭まって、錯視によってヒップが細く見えるように形成されており、
前記第一辺と前記第二辺とで規定される頂点Ａの角度が、８７〜９８度であり、
前記第一辺と前記第三辺とで規定される頂点Ｂの角度が、６２〜７６度であり、
前記第二辺と前記第三辺とで規定される頂点Ｃの角度が、１２〜１７度であること、
を特徴とするスラックス。
【請求項２】
前記頂点Ａの角度が、９０度超であること、
を特徴とする請求項１に記載のスラックス。
【請求項３】
前記頂点Ｂの角度と前記頂点Ｃの角度との和が、８０度以上９０度未満であること、
を特徴とする請求項１又は２に記載のスラックス。
【請求項４】
前記頂点Ｃが、太もも付け根の位置（高さ）±３ｃｍに位置すること、
を特徴とする請求項１〜３のいずれかに記載のスラックス。
【考案の詳細な説明】
【技術分野】
【０００１】
この考案は、スラックスに関し、特にたとえば、ヒップ部をすっきりと細く見えるように工夫したスラックスに関する。
【背景技術】
【０００２】
従来のスラックスは、人の腹部から脚部の前部分を覆う前身頃と、人のウエスト部からヒップ部及び脚部の後側部分を覆う後身頃とを縫い合わせて形成される脇線が、ウエスト部からヒップ部にかけて垂直状に形成されている。
【０００３】
女性、特に若い女性は、少しでもヒップ部分をすっきりと細く見えるようにしたいという要望を持っているところ、本出願人は、例えば特許文献１において、前身頃の後身頃側端縁と後身頃の傾斜端縁との間に三角形状の錯視布が縫合されたスラックスを提案していた。
【先行技術文献】
【特許文献】
【０００４】
【特許文献１】実用新案登録第３１２２１０７号明細書
【考案の開示】
【考案が解決しようとする課題】
【０００５】
しかしながら、上記従来技術のスラックスについて、種々のパターンのスラックスを製造して鋭意検討をした結果、特定の条件を満たせば、更にスラックスのヒップ部をすっきりと細く見えることを見出し、本考案を完成するに至った。
【０００６】
即ち、本考案の目的は、従来に比べて更にヒップ部をすっきりと細く見えるスラックスを提供することである。
【課題を解決するための手段】
【０００７】
上記の課題を解決すべく、本考案は、
前身頃と、前記前身頃とウエストからヒップにかけて縫合された脇線を介して連結された後身頃とを備えた、スラックスであって、
前記後身頃は、ウエスト部からヒップ部にかけてウエスト部からヒップ部に向かうに従って切り欠かれた傾斜端縁を有し、前記傾斜端縁は、斜線を形成し、
ウエストラインに略平行な線を第一辺、前記前身頃の後身頃側端縁を第二辺、前記後身頃の傾斜端縁を第三辺、とする略三角形状の錯視部を有し、
前記錯視部が、前記スラックスの下方に向かって徐々にその間隔が狭まって、錯視によってヒップが細く見えるように形成されており、
前記第一辺と前記第二辺とで規定される頂点Ａの角度が、８７〜９８度であり、
前記第一辺と前記第三辺とで規定される頂点Ｂの角度が、６２〜７６度であり、
前記第二辺と前記第三辺とで規定される頂点Ｃの角度が、１２〜１７度であること、
を特徴とするスラックス、
を提供する。
【０００８】
上記のような構成を有する本考案のスラックスにおいては、前記頂点Ａの角度が、９０度超であること、が好ましい。更に、上記のような構成を有する本考案のスラックスにおいては、前記頂点Ｂの角度と前記頂点Ｃの角度との和が、８０度以上９０度未満であること、が好ましい。
【０００９】
また、前記頂点Ｃが、太もも付け根の位置（高さ）±３ｃｍに位置すること、が好ましい。
【考案の効果】
【００１０】
本考案に係るスラックスは、上記のとおり、前身頃と、前記前身頃とウエストからヒップにかけて縫合された脇線を介して連結された後身頃とを備え、前記後身頃は、ウエスト部からヒップ部にかけてウエスト部からヒップ部に向かうに従って切り欠かれた傾斜端縁を有し、前記傾斜端縁は、斜線を形成し、ウエストラインを第一辺、前記前身頃の後身頃側端縁を第二辺、前記後身頃の傾斜端縁を第三辺、とする略三角形状の錯視部を有している。
【００１１】
そして、前記錯視部が、前記スラックスの下方に向かって徐々にその間隔が狭まって、錯視によってヒップが細く見えるように形成されており、かつ、前記第一辺と前記第二辺とで規定される頂点Ａの角度が、８７〜９８度であり、前記第一辺と前記第三辺とで規定される頂点Ｂの角度が、６２〜７６度であり、前記第二辺と前記第三辺とで規定される頂点Ｃの角度が、１２〜１７度であることにより、錯視により、従来に比べて更にかつより確実にヒップ部をすっきりと細く見える効果を出すことができる。
【図面の簡単な説明】
【００１２】
【図１】本考案の一実施形態に係るスラックスの分解斜視図である。
【図２】図１に示すスラックスの斜視図解図である。
【図３】図１及び２に示すスラックスにおける錯視部の概略模式図である。
【考案を実施するための形態】
【００１３】
以下、本考案に係るスラックスの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１４】
図１は、本考案の一実施形態に係るスラックス１０の分解斜視図であり、図２は、図１に示すスラックスの斜視図解図である。また、図３は、図１及び２に示すスラックスにおける錯視部の概略模式図である
【００１５】
本考案に係るスラックス１０は、人の腹部から脚部の前部分を覆う前身頃１２と、人のウエスト部からヒップ部及び脚部の後側部分を覆う後身頃１４と前身頃１２及び後身頃１４の上部において縫合されたウエスト帯１６を備える。
【００１６】
前身頃１２は、ウエスト部から裾にかけて後身頃１４と縫合して形成された脇線１８を介して、後身頃１４と連結され、その上部においてウエスト帯１６と連結されている。また、前身頃１２の後身頃側端縁２０は、ウエスト部２２からヒップ部２４にかけてヒップ側に傾斜する直線状傾斜端縁により形成されている。
【００１７】
他方、後身頃１４は、ウエスト部３２からヒップ部３４にかけて、ウエスト部３２からヒップ部３４に向かうに従って切り欠かれた傾斜端縁３０が形成されている。後身頃１４の傾斜端縁３０は、ウエスト部３２からヒップ部３４にかけて腹部側に傾斜する直線状傾斜端縁により形成されている。
【００１８】
前身頃１２の後身頃側端縁２０と後身頃１４の傾斜端縁３０との間において、前身頃１２の後身頃側端縁２０と後身頃１４の傾斜端縁３０との間よりやや大きな三角形状の錯視布４０が縫合されており、錯視部４０Ａが形成されている。即ち、前身頃１２を構成する布地と錯視布４０を構成する布地及び後身頃１４を構成する布地と錯視布４０を構成する布地を中表に合わせ、裏の方から２枚の布を一緒に縫い合わせている。
【００１９】
ここで、錯視布４０はスラックス１０に縫合される前の状態を示し（図１参照）、錯視部４０はスラックス１０に縫合された後の状態を示している（図２及び３参照）。錯視布４０は、図１に示すように、ウエスト帯１６の長さ方向（即ち、ウエスト部２２，３２の長さ方向）に略平行な線からなるウエストラインを第一辺とし、前身頃１２の後身頃側端縁４４を第二辺とし、後身頃１４の傾斜端縁３０を第三辺、とする略三角形状を有しており、錯視部４０Ａは、縫合後の錯視部４０Ａは周縁部が前身頃１２、後身頃１４及びウエスト帯１６で覆われて錯視布４０より少し小さな略相似形を有している。
【００２０】
また、前身頃１２のヒップ部２４と錯視布４０の前身頃側端縁４２とを縫合して、前縫合線５０が形成され、また、後身頃１４の傾斜端縁３０と錯視布４０の後身頃側端縁４４とを縫合して、後縫合線５２が形成される。
【００２１】
前身頃１２の後身頃側端縁２０のウエスト部２２からヒップ部２４にかけての脇線１８及び前縫合線５０と後身頃１４の傾斜端縁３０のウエスト部２２からヒップ部２４にかけての後縫合線５２とは、ウエスト部３２からヒップ部３４にかけて徐々にその間隔は狭まって、底が尖った鋭いＶ字形の谷を形成するために、錯視によりヒップが細く見えるように形成されている。
【００２２】
上記のように前身頃１２の後身頃側端縁２０と後身頃１４の傾斜端縁３０とは、離れている前身頃１２のウエスト部２２及び後身頃１４のウエスト部３２から接続した前身頃１２のヒップ部２４及び後身頃１４のヒップ部３４にかけて底が尖った鋭いＶ字形の谷を形成しており、前身頃１２の後身頃側端縁２０及び脇線１８と後身頃１４の傾斜端縁３０とは、底が尖った鋭いＶ字形の谷を形成するために、錯視によってヒップ部分がすっきりと細く見える。
【００２３】
ここで、縫製後の錯視部４０Ａは、図３に示すように、ウエストラインに略平行な線を第一辺、前記前身頃の後身頃側端縁を第二辺、前記後身頃の傾斜端縁を第三辺、とする略三角形状であり、第一辺と第二辺とで頂点Ａが、第一辺と第三辺とで頂点Ｂが、第二辺と第三辺とで頂点Ｃが、それぞれ規定される。
【００２４】
そして、本考案者は、スラックス１０において、頂点Ａの角度が８７〜９８度であり、頂点Ｂの角度が６２〜７６度であり、頂点Ｃの角度が１２〜１７度である場合に、顕著な錯視の効果が得られ、従来に比べて更にかつより確実にヒップ部をすっきりと細く見えることを見出し、本考案を完成した。
【００２５】
なかでも、特に顕著な錯視の効果が得られ、従来に比べて更にかつより確実にヒップ部をすっきりと細く見えるという観点から、頂点Ａの角度が９０度超であるのが好ましく、頂点Ｂの角度と頂点Ｃの角度との和が、８０度以上９０度未満であるのが更に好ましい。また、頂点Ｃの位置は下方である（即ち、第二辺が長い）ほうが、錯視効果が顕著になると考えられるが、例えば頂点Ｃの位置は、太もも付け根の位置（高さ）±３ｃｍであるのが好ましい。
【符号の説明】
【００２６】
１０・・・スラックス
１２・・・前身頃
１４・・・後身頃
１６・・・ウエスト帯
１８・・・脇線
２０・・・前身頃の後身頃側端縁
２２・・・ウエスト部
２４・・・ヒップ部
３０・・・傾斜端縁
３２・・・ウエスト部
３４・・・ヒップ部
４０・・・錯視布
４０Ａ・・・錯視部
４２・・・前身頃側端縁
４４・・・後身頃側端縁
５０・・・前縫合線
５２・・・後縫合線
【図１】
0003225436.tif 000003
【図２】
0003225436.tif 000004
【図３】
0003225436.tif 000005
【手続補正書】
【提出日】令和1年12月27日(2019.12.27)
【手続補正１】
【補正対象書類名】実用新案登録請求の範囲
【補正対象項目名】請求項４
【補正方法】変更
【補正の内容】
【請求項４】
前記頂点Ｃが、太もも付け根の位置±３ｃｍに位置すること、
を特徴とする請求項１〜３のいずれかに記載のスラックス。